(57)【要約】【課題】白用カラーフィルタによる高輝度化時の中間色の明るさおよび視覚特性による色相の変化を改善した映像表示装置を提供する。【解決手段】色成分分離抽出部１が入力映像信号Ｒｉｎ、Ｇｉｎ、Ｂｉｎにおける特定の色成分であるマゼンタ色成分ａ、シアン色成分ｂ、イエロー色成分ｃ、白色成分ｄを分離抽出し、白色成分分布検出部２が白色成分ｄの画面内における分布状態を検出し、ゲイン制御信号発生部７が白色成分ｄの分布状態および白色成分の信号レベルに応じて特定の色成分ａ〜ｄに対する補正ゲイン値ｓ１、ｑ１、ｐ１、ｔ１を発生し、演算制御部５が特定の色成分と補正ゲイン値とを乗算し、その乗算結果に応じて、映像信号補正部６が入力映像信号に対して補正を加える。【選択図】  図１
2004286865.tif 000002
【特許請求の範囲】
【請求項１】
入力映像信号の各画素についてその画素を構成する各色成分を分離抽出する色成分分離抽出部と、
抽出された特定の色成分の画面内における分布状態を検出する色成分分布検出部と、
前記色成分分布検出部の出力信号に応じて特定の色成分に対する補正制御信号を発生する制御信号発生手段と、
前記制御信号発生手段から出力される補正制御信号に基づいて前記色成分分離検出部から出力される各色成分に対して演算を施す演算制御部と、
前記演算制御部からの出力信号に基づいて前記入力映像信号に補正を加える映像信号補正部とを備えた映像表示装置。
【請求項２】
前記制御信号発生手段は、前記特定の色成分のレベルを補正する補正制御信号を発生する請求項１記載の映像表示装置。
【請求項３】
前記制御信号発生手段は、前記特定の色成分の色相を補正する補正制御信号を発生する請求項１記載の映像表示装置。
【請求項４】
前記制御信号発生手段は、前記色成分分布検出部の出力信号に加えて前記色成分分離抽出部からの出力信号に応じた補正制御信号を発生する請求項１から３のいずれか一項記載の映像表示装置。
【請求項５】
前記色成分分布検出部は、白色成分の分布状態を検出する請求項１から４のいずれか一項記載の映像表示装置。
【請求項６】
前記色成分分布検出部は、一画面を複数の領域に分割し各領域ごとに前記特定の色成分の分布状態を検出し、前記制御信号発生手段は、前記各領域ごとにおける前記特定の色成分の分布状態に応じた補正制御信号を発生する請求項１から５のいずれか一項記載の映像表示装置。
【発明の詳細な説明】
【０００１】
【発明の属する技術分野】
本発明は、データプロジェクタ等の映像表示装置に関する。
【０００２】
【従来の技術】
近年、企業あるいは学校等においてプレゼンテーションを行う際に用いられるデータプロジェクタ等の映像表示装置において、明るさおよび色再現性の更なる向上への要望が高まってきている。
【０００３】
図５は、従来の映像表示装置の一例として反射型表示素子およびカラーホイールを用いたプロジェクタの一例を示す構成図である。
【０００４】
図５において、５３は反射型表示素子であり、近年ではＤＭＤ（Ｄｉｇｉｔａｌ  Ｍｉｃｒｏｍｉｒｒｏｒ  Ｄｅｖｉｃｅ）やＬＣＯＳ（Ｌｉｑｕｉｄ  Ｃｒｙｓｔａｌ  Ｏｎ  Ｓｉｌｉｃｏｎ）等として知られている。５６は反射型表示素子５３を照射するための光源、５７は赤、青、緑の各色光を透過させる少なくとも３種類のカラーフィルタを含んで構成されたカラーホイールであり、回転しながら光源５６から出射された光を通過させることにより、光を赤、青、緑に分割し反射型表示素子５３に照射する。５０は入力映像信号Ｖｉｎの入力端子であり、５１は入力映像信号Ｖｉｎに対する信号処理回路部である。５２は反射型表示素子５３を駆動する駆動制御部であり、信号処理回路部５１からの出力映像信号を、反射型表示素子５３を駆動する信号形式に変換および制御し、カラーホイール５５の回転と同期して、例えば赤の光が通過している間は映像信号成分の内、赤の成分が反射型表示素子５３を駆動するように作用する。青、緑についても同様である。５４は投写レンズであり、反射型表示素子５３において反射された赤、青、緑の各光は、この投写レンズ５４を通過して投写される。
【０００５】
次に、図６Ａおよび図６Ｂを参照して、カラーホイールの詳細について説明する。
【０００６】
図６Ａは、３分割カラーホイールの構成を示す平面図である。図６Ａにおいて、３分割カラーホイール７０は、一例として赤の光を通過させる赤用カラーフィルタ７２と、青の光を通過させる青用カラーフィルタ７３と、緑の光を通過させる緑用カラーフィルタ７４とで構成される。
【０００７】
図６Ｂは、４分割カラーホイールの構成を示す平面図である。図６Ｂにおいて、４分割カラーホイール５５には、赤用カラーフィルタ７２と、青用カラーフィルタ７３と、緑用カラーフィルタ７４に加えて、白の光すなわち赤および青および緑の光を通過させる白用カラーフィルタ７１が設けられている。特にプレゼンテーションを主目的としたデータプロジェクタにおいては、高輝度が求められるため白用カラーフィルタ７１を設けた４分割カラーホイール５５が用いられる。４分割カラーホイール５５を用いた場合は、白色成分を含む色の画素について赤、青、緑とは別に白として駆動制御部５２において駆動することで、赤、青、緑に加えてさらに白の光を照射し、その結果、当該画素に対して映像の白部分の照射光量を増やすことで高輝度化を実現している。
【０００８】
しかしながら、４分割カラーフィルタ５５は、３分割カラーフィルタ７０に比して、赤、青、緑の各カラーフィルタの分割角度の合計が白用カラーフィルタ７１の角度分だけ少なくなるため、白色成分を含まない画素に対する赤、青、緑の各色光の照射時間は、白色成分を含む画素に対する赤、青、緑、白の各色光の照射時間に対して短くなる。その結果、投写映像画面における白色成分を含まない映像部分の明るさが白色成分を含む映像部分の明るさに比して暗くなる。また、白用カラーフィルタ７１の分割角度が大きくなれば一層この明るさの比は大きくなる。
【０００９】
また、人間の視覚特性のうち明度対比により、明るい画面内に同時に存在する暗い映像部分はより一層暗く見えることが経験的にも知られている。すなわち、例えば明るい白色を背景色とした画面における白色以外の色のついた部分はより一層暗い色と認知される。
【００１０】
さらに、視覚特性によって、黄色、シアン、マゼンタといった中間色については、明度対比が発生した際に暗く見える中間色部分は、見た目は、色相までもが変わって異なる色になって見える現象があり、この現象は特に黄色について顕著であり、暗く見える黄色はむしろ暗い緑として認識される。
【００１１】
このように、４分割カラーホイール５５における白用カラーフィルタ７１の分割角度を大きくするほど高輝度化は可能であるが、上記現象は一層顕在化する。
【００１２】
上記の現象は画面の平均輝度レベルによって生じていると解釈して、画面の平均輝度レベルに基づいて画面のコントラストを向上させる映像表示装置が知られている（例えば、特許文献１参照）。図７は、かかる従来の映像表示装置の電気回路構成を示すブロック図である。
【００１３】
図７において、８１は輝度レベル判別部で、８２は輝度レベル分布検出部である。８３は、輝度レベル分布検出部８２で検出された結果に応じて、入力端子５０からの入力映像信号Ｖｉｎに対する制御動作点を制御する制御信号を発生する制御部（ＣＰＵ）で、８４は、制御部８３の出力信号に基づいて入力映像信号Ｖｉｎに対して動作点制御を行う動作点制御部である。
【００１４】
次に、このように構成された従来の映像表示装置の動作について説明する。
【００１５】
図７において、輝度レベル判別部８１は、入力映像信号５０の輝度レベルを判別して、一例としては各走査線ごとの平均輝度レベルを出力する。輝度レベル分布検出部８２は、輝度レベル判別部８１において得られた各走査線ごとの平均輝度レベルを元に画面全体における平均輝度レベルの分布状態を検出する。一例として、輝度レベル分布検出部８２は、輝度レベルの範囲を複数の範囲に分割しその分割した範囲ごとにカウンタを設け、各走査線の平均輝度レベルが、その複数の範囲のうちどの範囲に入っているかによってその範囲の分布を表すカウント値を増加することにより分布状態の検出を行う。その結果、例えば平均輝度レベルが高い範囲に集中して分布している場合、制御部８３は、入力映像信号Ｖｉｎに対して白伸張動作を行わせる制御信号を出力する。一方、平均輝度レベルが低い場合、制御部８３は、入力映像信号Ｖｉｎに対して黒圧縮動作を行わせる制御信号を出力する。動作点制御部８４は、制御部８３からの制御信号に応じて白伸張あるいは黒圧縮動作を入力映像信号Ｖｉｎに対して行い、画面のコントラストを向上させる。
【００１６】
【特許文献１】
特開平５−１１５０１８号公報
【００１７】
【発明が解決しようとする課題】
しかしながら、上記の従来の構成では、平均輝度レベルを元に入力映像信号に対する信号補正動作点制御を行うため、白色成分を含まない画素も輝度レベルの検出対象となり、その結果、例えば画面内に白色成分がほとんど存在しないような画面の場合でも輝度レベルが高い場合には補正を行ってしまうという問題点、補正する必要のない色成分に対しても補正を行ってしまうという問題点や、特定の色成分についてのみ選択的に補正を実施することができないという問題点を有していた。
【００１８】
本発明は、上記従来の問題点を解決するもので、その目的は、白用カラーフィルタによる高輝度化時の中間色の明るさおよび視覚特性による色相の変化を改善した映像表示装置を提供することにある。
【００１９】
【課題を解決するための手段】
本発明は、画面の平均輝度レベルではなく、特定の色成分の分布状態すなわち例えば白色成分の分布状態に応じて、特定の色成分、例えば中間色に対してレベルあるいは色相を補正することにより、各画素を構成する色成分による明るさの低下を補正しかつ視覚特性による色相の変化を補正するものである。そのための構成を以下に示す。
【００２０】
前記の目的を達成するため、本発明に係る映像表示装置は、入力映像信号の各画素についてその画素を構成する各色成分を分離抽出する色成分分離抽出部と、抽出された特定の色成分の画面内における分布状態を検出する色成分分布検出部と、色成分分布検出部の出力信号に応じて特定の色成分に対する補正制御信号を発生する制御信号発生手段と、制御信号発生手段から出力される補正制御信号に基づいて色成分分離検出部から出力される各色成分に対して演算を施す演算制御部と、演算制御部からの出力信号に基づいて入力映像信号に補正を加える映像信号補正部とを備えたことを特徴とする。
【００２１】
この構成によれば、入力映像信号における特定の色成分を分離抽出し、特定の色成分の画面内における分布状態を検出することによって、画面の平均輝度レベルではなく、特定の色成分の分布状態に応じて、特定の色成分、例えば中間色に対して補正を加えることができる。
【００２２】
本発明に係る映像表示装置において、制御信号発生手段は、特定の色成分のレベルを補正する補正制御信号を発生することが好ましい。
【００２３】
この構成によれば、より暗く見える特定の色成分に対して選択的にゲインを変化させることにより、特定の色成分として例えば中間色の明るさの低下を補正することができる。
【００２４】
また、本発明に係る映像表示装置において、制御信号発生手段は、特定の色成分の色相を補正する補正制御信号を発生することが好ましい。
【００２５】
この構成によれば、特定の色成分の画面内における分布状態によって視覚特性により色相が変化し異なる色に見える特定の色成分に対して選択的に色相を変化させることにより、視覚特性による色相変化を補正することができる。
【００２６】
また、本発明に係る映像表示装置において、制御信号発生手段は、色成分分布検出部の出力信号に加えて色成分分離抽出部からの出力信号に応じた補正制御信号を発生することが好ましい。
【００２７】
この構成によれば、特定色成分の分布状態とその特定色成分のレベルまたは色相とに応じて補正の度合いを変化させることができ、その結果、画素ごとに最適な補正を行うことができる。
【００２８】
また、本発明に係る映像表示装置において、色成分分布検出部は、白色成分の分布状態を検出することが好ましい。
【００２９】
この構成によれば、プロジェクタに通常用いられる赤、青、緑のカラーフィルタに加えて、高輝度化を実現するために通常用いられる白用カラーフィルタによって照射光量の増える白色光の影響により、白色成分を含む画素に対して相対的に暗くなる白色成分を含まない特定の画素に対して、画面内の白色成分の分布状態に応じて適切な補正を実施することができ、その結果、見た目の明るさや色相を忠実に再現できる。
【００３０】
また、本発明に係る映像表示装置において、色成分分布検出部は、一画面を複数の領域に分割し各領域ごとに特定の色成分の分布状態を検出し、制御信号発生手段は、各領域ごとにおける特定の色成分の分布状態に応じた補正制御信号を発生することが好ましい。
【００３１】
この構成によれば、入力映像信号における特定色の分布状態検出を、一画面を複数の領域に分割した空間的な分布状態検出とすることにより、補正を必要とする特定色に対して空間的各領域ごとの分布状態に応じて各領域ごとに補正を行うことが可能となり、より細かく空間的な領域ごとに明るさや色相を適切に補正することができる。
【００３２】
【発明の実施の形態】
以下、本発明の実施の形態について、図面を参照して説明する。
【００３３】
（実施の形態１）
図１は、本発明の実施の形態１に係る映像表示装置の電気回路構成を示すブロック図である。
【００３４】
図１において、１０、１１、１２は入力端子であり、本実施の形態では、それぞれ赤の映像信号Ｒｉｎ、緑の映像信号Ｇｉｎ、青の映像信号Ｂｉｎ（以下、Ｒｉｎ、Ｇｉｎ、Ｂｉｎをまとめて入力映像信号と称する）が入力されるが、輝度信号および色差信号が入力されるという他の形態でもよい。
【００３５】
１は色成分分離抽出部であり、入力映像信号を構成する特定の色成分ａ、ｂ、ｃ、ｄを分離抽出する。本実施形態では、ａはマゼンタ色成分、ｂはシアン成分、ｃは黄色成分、ｄは白色成分であるが、これら以外の特定色成分を分離抽出し補正の対象とすることもできその場合は、その色成分が分離抽出される。
【００３６】
２は白色成分分布検出部であり、信号レベルを複数の範囲に分割し、色成分分離抽出部１の出力信号レベルがその複数の範囲のいずれに含まれるかをカウントする。ｍ、ｎ、ｘ、ｙは、白色成分ｄの信号レベルを白色成分分布検出部２において４つの範囲に分割した場合の各範囲の発生頻度の分布状態を示す信号である。なお、白色成分分布検出部２において検出の対象とする画素は、一画面における全画素が望ましいが、水平および垂直方向に間引いた代表画素を用いてもよい。
【００３７】
４は制御信号発生手段としてのゲイン制御信号発生部であり、白色成分分布検出部２の出力信号である頻度ｍ、頻度ｎ、頻度ｘ、頻度ｙ、および白色成分ｄに応じて、特定の色成分のレベルを補正する補正制御信号として、黄色成分補正ゲイン値ｐ１、シアン成分補正ゲイン値ｑ１、マゼンタ成分補正ゲイン値ｓ１、白色成分補正ゲイン値ｔ１を発生する。本実施の形態では、白色成分分布検出部２において信号レベルを４つの範囲に分割したが、この分割数は補正を実施する精度に応じて決定することが望ましい。また、分割する範囲は均等である必要はなく、補正を実施する精度に応じて決定することが望ましい。
【００３８】
５は演算制御部であり、ゲイン制御信号発生部４の出力信号である特定の各色成分補正ゲイン値ｐ１〜ｔ１に基づいて、色成分分離出力部１の出力信号である各色成分ａ〜ｄに乗算処理を行うことで、特定の色成分のレベルを補正する。演算制御部５は、乗算器２０、２１、２２、２３により構成され、ｕ、ｖ１、ｗ１、ｚ１はそれぞれ乗算器２３、乗算器２０、乗算器２１、乗算器２２で乗算した結果得られる補正値である。乗算器２０は、黄色成分補正ゲイン値ｐ１と黄色成分ｃとを乗算することで黄色成分に対する補正値を出力する。乗算器２１、２２および乗算器２３についても同様に、それぞれシアン色成分、マゼンタ色成分および白色成分について補正値ｗ１、補正値ｚ１および補正値ｕを出力する。
【００３９】
６は映像信号補正部であり、演算制御部５で得られた補正値ｕ、補正値ｖ１、補正値ｗ１、補正値ｚ１を赤の映像信号Ｒｉｎ、緑の映像信号Ｇｉｎ、青の映像信号Ｂｉｎと加算することで信号レベルを補正する。映像信号補正部６は、加算器２４、２５、２６、２７、２８、２９、３０、３１により構成される。白色成分に対する補正を行う場合は、補正値ｕをＲｉｎ、Ｇｉｎ、Ｂｉｎに加算することで信号レベルの補正を行い、黄色成分に対する補正を行う場合は、補正値ｖ１をＲｉｎ、Ｇｉｎに対してのみ加算することで信号レベルの補正を行う。補正値ｗ１、補正値ｚ１についても同様に、補正する色成分に応じて加算を実施する対象の入力映像信号は異なる。
【００４０】
１３、１４、１５は、それぞれ映像信号補正部６で補正された赤の映像信号Ｒｏｕｔ、緑の映像信号Ｇｏｕｔ、青の映像信号Ｂｏｕｔが出力される出力端子である。
【００４１】
次に、以上のように構成された映像表示装置の動作について、図１に加えて、図３および図４を参照して説明する。
【００４２】
図３は、図１における入力映像信号であるＲｉｎ、Ｇｉｎ、Ｂｉｎの各色信号の信号レベルを示す図である。４１はＲｉｎの信号レベル、４２はＧｉｎの信号レベル、４３はＢｉｎの信号レベルを示している。４６はＲｉｎ、Ｇｉｎ、Ｂｉｎの各色信号において等しく含まれる信号部分を示し、すなわち白成分である。４５はＲｉｎとＧｉｎの信号成分が等しい部分であり、すなわち黄色成分である。４４はＧｉｎの単色成分である。図３には示さないが、同様に、ＧｉｎとＢｉｎが等しく含まれる信号部分はシアン色成分であり、ＲｉｎとＢｉｎが等しく含まれる信号部分はマゼンタ色成分である。
【００４３】
まず、図１の色成分分離抽出部１において、図３において説明した各色成分を、Ｒｉｎ、Ｇｉｎ、Ｂｉｎの各信号レベルを比較することにより分離抽出し、マゼンタ色成分ａ、シアン色成分ｂ、黄色成分ｃ、白色成分ｄとして出力する。白色成分分布検出部２において、白色成分ｄの信号レベルを検出し、それが予め設定した４分割範囲のどれに含まれるかによって含まれる範囲のカウント値を増やす。
【００４４】
図４は、白色成分分布検出部２の動作の一例を説明するための信号レベルに対する発生頻度を表す図である。図４において、信号レベルは６５から６８の４つの範囲に分割し、白色成分ｄがどの範囲に属するかによって、その属する範囲の発生頻度をカウントアップする。同様の動作を一画面内の画素を対象に実施し、その結果、頻度ｍ、頻度ｎ、頻度ｘ、頻度ｙを得る。
【００４５】
ゲイン制御信号発生部４においては、白色成分分布検出部２の出力信号である分割範囲ごとの発生頻度ｍ、頻度ｎ、頻度ｘ、頻度ｙに応じて各色成分に対する補正ゲイン値ｐ１〜ｔ１を発生する。発生頻度が、図４に示したように、白色成分の信号レベルが高い領域に分布が集中しているような場合、すなわち画面内で明るい白色が多い場合は、中間色が暗く見えるため、補正ゲイン値ｐ１、補正ゲイン値ｑ１、補正ゲイン値ｓ１は、当該色成分の信号レベルを上げる方向に値を設定される。中でも黄色が特に暗く見える場合には、黄色成分の補正ゲイン値ｐ１を他の色成分に対する補正ゲイン値よりも大きく設定することで、適切な補正結果を得ることができる。
【００４６】
また逆に、例えば頻度ｍおよび頻度ｎが小さい値の場合、すなわち画面内における明るい白色成分が少なく白色以外の成分が多い画面においては、白色信号成分を減少させることで、白用カラーフィルタの使用による白色成分の強調効果を減少させ、結果として画面全体の明るさを大きく減少させることなく、白色以外の映像部分の相対的な明るさを向上させることができる。その場合は、ゲイン制御信号発生部４において、補正ゲイン値ｔ１を負の値に設定することで実現できる。
【００４７】
さらに、ゲイン制御信号発生部４に対して白色成分ｄを入力することにより、白色成分の信号レベルに応じても補正ゲイン値を変化させることができる。例えば、白色成分の分布状態が図４に示すようになっていた場合、中間色は暗く見え、かつ色相が変わったように見える。この場合、当該画素の白色成分ｄが少ないときには、中間色成分の補正ゲイン値を上げると同時に、白色成分の補正ゲイン値ｔ１を小さく設定する。すなわち、図３における白色成分４６を減少させ、黄色成分４５すなわち中間色成分に対する補正ゲイン値を大きくする。
【００４８】
このようにして、画素ごとに最適なゲイン補正値を得ることができ、中間色の色純度を高め、明るい画面における中間色の明るさおよび色相変化を改善できる。
【００４９】
以上のように、本実施の形態によれば、入力映像信号の特定の色成分を分離抽出し、その結果、特定の色成分の画面内における分布状態を検出することによって、より暗く見える特定の色成分に対して選択的にレベル補正を実施することにより、明るさを改善することができる。
【００５０】
（実施の形態２）
図２は、本発明の実施の形態２に係る映像表示装置の電気回路構成を示すブロック図である。なお、上記した実施の形態１における映像表示装置と同一の構成部分については、同一符号を付して詳細な説明を省略する。
【００５１】
本実施の形態が、実施の形態１の構成と異なるのは、ゲイン制御信号発生部４に代えて色相制御信号発生部７を設け、かつ映像信号補正部６における加算器２８、加算器３０、加算器３１に代えてそれぞれ減算器２８ｂ、減算器３０ｂ、減算器３１ｂを設けた点にある。
【００５２】
次に、このように構成された映像信号表示装置の動作について説明する。
【００５３】
まず、実施の形態１と同様に、映像入力信号における各色成分を色成分分離抽出部１において分離抽出し、白色成分ｄの画面内における発生頻度の分布状態を白色成分分布検出部２において検出する。
【００５４】
色相制御信号発生部７（制御信号発生手段）は、白色成分分布抽出部２で得られた頻度ｍ、頻度ｎ、頻度ｘ、頻度ｙに応じて、色成分分離抽出部１で分離されたマゼンタ色成分ａ、シアン色成分ｂ、黄色成分ｃに対して色相を変化させる補正制御信号として、それぞれ色相補正ゲイン値ｐ２、ｑ２、ｓ２を発生する。白色成分補正ゲイン値ｔ１は実施の形態１と同様の信号である。
【００５５】
色相補正ゲイン値ｐ２〜ｓ２および白色成分補正ゲイン値ｔ１は、演算制御部５において、実施の形態１と同様に、色成分分離抽出部１の各出力信号に対して乗算器２０から２２によって乗算処理が施される。その結果、色相を補正する色相補正値ｖ２、色相補正値ｗ２、色相補正値ｚ２が得られる。色相補正値ｖ２〜ｚ２は、映像信号補正部６における加算器２７、２９、３２および減算器２８、３０、３１により、Ｒｉｎ、Ｇｉｎ、Ｂｉｎと加減算処理が行われる。
【００５６】
本実施の形態においては、例えば黄色成分の色相を補正する場合、色相補正ゲイン値ｖ２が正の値の場合は、加算器２７は加算器として、減算器２８ｂは減算器として機能するが、色相補正ゲイン値ｖ２が負の値の場合は、加算器２７は減算器として、減算器２８ｂは加算器として機能する。加算器２９、３２および減算器３０ｂ、３１ｂについても同様に、色相補正ゲイン値ｗ２およびｚ２の極性に応じて加減算処理を行うものである。
【００５７】
一例として、画面内における白色成分の発生頻度の分布状態が図４のようになっている場合について説明する。この場合は、明るい白色成分が多いため、白用カラーホイール７１の使用による白色光の強調効果が顕著となり、その結果、白色以外の映像部分は暗く見えかつ人間の視覚特性によって色相が変化して見え、本来の色とは異なる色として認識されてしまう。その場合に、白色以外の映像部分を構成する画素における各色成分の色相を補正することで、見た目の色相変化が認識できないように当該画素の信号を補正するものである。
【００５８】
例えば、ある画素を構成する色成分が黄色成分と白成分のみである場合、白色光の強調効果がない場合には見た目は薄い黄色として認識されるが、白色光が強調されると視覚特性の明度対比によって暗く見え、その結果、黄色よりむしろ緑色に近く認識される。この場合には、白色成分補正ゲイン値ｔ１を下げ、同時に黄色成分色相補正ゲイン値ｐ２を正の値に設定する。その結果、加算器２７においてＲｉｎに対して赤の信号レベルの加算が行われ、減算器２８ｂにおいてはＧｉｎに対する減算が行われ、色相として赤色側に補正することで、見た目の色が緑色として認識される現象を補正し黄色に見えるようにする。
【００５９】
同様に、場合によって色相補正を緑色側に行う場合には、黄色成分の色相補正ゲイン値ｐ２を負の値に設定することにより、Ｇｉｎに対しては加算、Ｒｉｎに対しては減算処理が行われ、その結果、色相を緑色側に補正できる。
【００６０】
さらに、色相制御信号発生部７に白色成分ｄを入力することにより、白色成分の信号レベルに応じても色相補正ゲイン値を変化させることができる。例えば、白色成分の分布状態が図４に示すようになっていた場合かつ当該画素の白色成分ｄが少ないときには、中間色成分の色相補正を行うと同時に、白色成分の補正ゲイン値ｔ１を小さく設定する。すなわち、当該画素における白色成分を減少させることによって、中間色成分の構成比率を上げかつ上記の色相の補正を行うことにより色相の補正効果を高めることができ、画素ごとに最適な色相補正を行うことができ、明るい画面における中間色の見た目の色相変化を改善できる。
【００６１】
以上のように、本実施例の形態によれば、特定の色成分の画面内における分布状態によって見た目の色相が変化し異なる色に見える特定の色成分に対して選択的に色相を変化させることにより見た目の色相変化を補正することができる。
【００６２】
なお、上記実施の形態では、白色成分分布検出部２は、白色成分分布を検出するとして説明したが、白色成分以外の特定の色成分分布を検出してもよい。
【００６３】
また、上記実施の形態では、白色成分分布検出部２は、一画面内における白色成分の発生頻度の分布状態を検出するとして説明したが、一画面を複数の空間的領域に分割し各領域ごとに白色成分あるいは特定色成分の発生頻度の分布状態を検出する構成にし、ゲイン制御信号発生部４および／あるいは色相制御信号発生部７は、上記各領域ごとの分布状態に応じた補正ゲイン値を発生するとしてもよい。
【００６４】
また、上記実施の形態では、ゲイン制御信号発生部４と色相制御信号発生部７とのいずれかを一方を有する映像表示装置について説明したが、ゲイン制御信号発生部４と色相制御信号発生部７とを併用してもよい。
【００６５】
【発明の効果】
以上説明したように、本発明によれば、入力映像信号の特定色成分を分離抽出しその分布状態を検出し、分離抽出した中間色などの特定の色成分に対する補正ゲイン値を得ることにより、白用カラーフィルタによる高輝度化時の中間色の明るさおよび視覚特性による色相の変化を改善する映像表示装置を提供することができる、という格別な効果を奏する。
【図面の簡単な説明】
【図１】本発明の実施の形態１に係る映像表示装置の電気回路構成を示すブロック図
【図２】本発明の実施の形態２に係る映像表示装置の電気回路構成を示すブロック図
【図３】本発明の実施の形態１および２の動作を説明するための入力映像信号の各色成分の信号レベル例を示す図
【図４】本発明の実施の形態１および２の動作を説明するための特定の色信号の信号レベルに対する発生頻度の分布例を示す図
【図５】従来の映像表示装置の応用例として反射型表示素子およびカラーホイールを用いたプロジェクタの構成図
【図６Ａ】３分割カラーホイールの構成を示す平面図
【図６Ｂ】４分割カラーホイールの構成を示す平面図
【図７】従来の映像表示装置の電気回路構成を示すブロック図
【符号の説明】
１  色成分分離抽出部
２  白色成分分布抽出部
４  ゲイン制御信号発生部（制御信号発生手段）
５  演算制御部
６  映像信号補正部
７  色相制御信号発生部（制御信号発生手段）
【図１】
2004286865.tif 000003
【図２】
2004286865.tif 000004
【図３】
2004286865.tif 000005
【図４】
2004286865.tif 000006
【図５】
2004286865.tif 000007
【図６Ａ】
2004286865.tif 000008
【図６Ｂ】
2004286865.tif 000009
【図７】
2004286865.tif 000010